(57)【要約】      （修正有）【課題】スライス単薄板を杢目の特徴のある木目方向に対して特定角度で巻いた逆円錐筒体の形状のコップ用木製ホルダーを提供する。【解決手段】０．１〜０．３ｍｍ厚さの木材スライス単薄板２の柾目部を木目方向に対して１０〜３０°の角度でコップ形型枠３に１〜２回斜巻して、上部の管径７０〜１００ｍｍ、下部の管径５０〜８０ｍｍ、高さ５０〜７０ｍｍの木製逆円錐台形の筒状になっているコップ用木製ホルダー１である。【選択図】図２
0003221133.tif 000002
【実用新案登録請求の範囲】
【請求項１】
０．２〜０．５ｍｍ厚さの木材スライス単薄板の柾目部を木目方向に対して５〜３０°の角度でコップ形型枠に１〜３回斜巻して、上部の管径６０〜８０ｍｍ、下部の管径５０〜７０ｍｍ、高さ５０〜８０ｍｍの木製逆円錐台形の筒状になっていることを特徴とするコップ用木製ホルダー。
【請求項２】
木材スライス単薄板は、柾目部分の木質の特性を持つ木製平板において、比重０．４以上である木材における木目幅０．５〜３０ｍｍの範囲にある木目模様を持ち、前記単薄板の面の粗さ±０．０１ｍｍ以内の平板の鮮明な杢目を呈するに松材、モミ材、ヒノキ材、スギ材で、前記材の厚さ０．３〜０．５ｍｍに調整された平滑的薄平板を、木目方向５〜３０°角度で、前記平板の端部に接着剤を塗布して、逆円錐筒体の形状に型枠に沿って１〜３回に巻いて得られた木製逆円錐筒状体形状になって，紙のコップの容積を９０〜３５５ｍｌの容器に適応できており、前記逆円錐筒体の外部表面に被覆処理を施していることを特徴とする請求項１に記載のコップ用木製ホルダー。
【請求項３】
前記逆円錐筒体は、幅５０〜１００ｍｍ、長さ３００〜５００ｍｍの単平板を木目傾斜方向で巻く、前記単平板の端部である接合面に食品安全性の多糖質系、又はウレタン系エマルジョンの接着剤を使用した前記平板片面の接合面の端に塗布して、逆円錐筒体の形状の型枠に捲着した逆円錐筒状体を得て、前記逆円錐筒状体の周囲を加熱処理した薄板捲着した逆円錐筒状形体を前記型枠から引き抜いて得られ、前記型枠は、木製、又は樹脂製であって、逆円錐台形体であることを特徴とする請求項１、又は請求項２に記載のコップ用木製ホルダー。
【請求項４】
薄板を巻いて、逆円錐筒状形状になった状態で、外表面での薄板の継ぎ目は一重目と二重目の木目で傾斜の勾配が高くなっており、切り目の境線上では容器縦方向に垂直状態で３０〜１００％の位置で裁断されて、外表面の木目模様で１０〜６０°の角度を呈した特有杢目模様を呈した状態にしていることを特徴とする請求項１〜請求項３のいずれかに記載のコップ用木製ホルダー。
【考案の詳細な説明】
【技術分野】
【０００１】この考案は、スライス単薄板を杢目の特徴のある木目方向に対して特定角度で巻いた逆円錐筒体の形状のコップ用木製ホルダーに関するものである。
【背景技術】
【０００２】一般にコップはホットな液体が入った紙コップにおいて、直接コップに触れて飲料する場合に扱いが難しく飲むことが困難を来します。その場合には、樹脂製、紙製のホルダーが使用さることが多い。樹脂製の場合には廃棄で問題であり、また紙製では保持効果が十分でなく、廃棄が容易でしかも、保温効果もたかい材料が期待されている。また趣を持って使い捨ても可能な自然界に還元できる材料を望んでいる。その中で樹木の特性を持った、木製のホルダーは希少であり、木質の温もり、香りをもつコップ容器について期待されているが、普及に至っていない。【０００３】あらゆるサイズの紙コップに対応でき、熱い飲料が入ったコップでも手に熱さが伝わらず安全に紙コップが保持できることと、何度でも使用できる飲料用コップホルダーを提供するために、ホルダー部、取手部、差し込み部、切り込み部が一体で形成された１枚のシート状の構造をなし、差し込み部を、切り込み部のいずれかに差し込むことで、サイズの異なる紙コップに対応できる構造にしたものが提案されている（特許文献１参照）。【０００４】扁平状態にすることができると共に紙コップ等の外周面に印刷されている宣伝広告文字、キャッチコピー、絵柄等を読んだり見たりすることができるコップホルダーにおいて、コップホルダーは透明な合成樹脂製シートで形成されている。このコップホルダーのコップ保持体は漏斗筒状に形成されている。コップ保持体の中間部には折線が形成されている。このコップ保持体の一端部には区画線を介して台形状の把持体一端部形成体が連続形成され、コップ収容保持体の他端部には台形状の把持体他端部形成体が連続形成されている。この把持体一端部形成体と把持体他端部形成体を接着して台形状の把持体が形成されているホルダーが提案されている（特許文献２参照）。【０００５】  紙コップからの熱を効率よく逃がすことができ、熱による紙コップの損傷を防止できるプラスチックス製の紙コップホルダーにおいて、紙コップを保持可能なプラスチックス製の紙コップホルダーで、その内周面に、装着される紙コップの周面との間に隙間空間を形成するための突出部が形成されるとともに、底部に通気開口が形成されてなる紙コップホルダーを提案している（特許文献３参照）。【０００６】  ホルダーの把持部を別途形成して取扱いを容易にすると共に、把持部の形状改良で把持状態の安定性を向上するために、帯板状の弓形本体部における上下の側方部に１個ずつのスリットを刻設することによって、弓形本体部を円環状にしてスリットの対応部位を嵌合してホルダーを形成して組立を行い、又弓形本体部の円環保持部で紙コップを支承すると共に、スリットの交差部で把持部１を全面接触の２枚重ねとするものが提案されている（特許文献４参照）。【０００７】コップホルダーとしては、樹脂、紙が主体であり、木の柔らかさと、香りを持ち、斜傾的木目を呈している木材のみで製作された飲料用のコップホルダーは今までには存在していない。
【先行技術文献】
【特許文献】
【０００８】
【特許文献１】特開２０１７−３８９００号公報
【特許文献２】実用新案登録第３１８１９５２号公報
【特許文献３】実用新案登録第３１２３９１４号公報
【特許文献４】特開平７−２１３４０８号公報
【考案の概要】
【考案が解決しようとする課題】
【０００９】本飲料用コップホルダーは、樹脂製、紙製で広く普及している高温保持を目的とする紙製コップ用に関するものであり、なおかつ、素材の異なる、環境的に問題ない、木を外壁、内壁とした木材の特性を持つ飲用コップホルダーに関するものが期待されている。紙製のコップ容器では、ホットなコーヒー、お茶を飲むときに熱くて取り扱いが難しい。無塗装の木を使ったものが期待されている。【００１０】なお、紙のコーヒーカップに樹脂製のカバーとして外側に覆って使うような、やけどを防止する目的で、別体のコップとそのｈオルダーのセットになって、容易に脱着可能な飲用コップの種類は、空気の出入りが大きいために保温や保冷の効果が大きく下ったり、紙コップ向けに、ホルダーに入れることによってやけどを防止する目的の木製飲用紙コップホルダーは普及しておらず、保温を目的とする飲用コップホルダーを提供することを目的としている。【００１１】木材の種類、色彩、香りによる、木目の美しさや、癒やしなど感覚的理由で、身の回りの調度品や内装パネルなどに使用されて行く傾向にある中で、食器類を木製にすることも求められている。木製に対しては樹脂製や紙製に対して耐久性、衛生的で広く普及することには至っていなし。使い捨て、或いは木材のオンリーワンの特性を活用すること、内容物の殺菌、保温、保冷をすることを目的とする飲用コップホルダーとしてまだ商品として製造上、価格上でも上市されていない。しかし技術的には可能であるが、木をくり抜く製造コストがかかったり、大量生産が困難であるなど課題が多い。【００１２】  スギやヒノキなど木目の美しさを求めて高級なお椀などを作ることが多いが、それらと同じように木目の美しさを求めて、柔らかい種類の木を使った外壁が木製、内壁で構成し、コップの縁を噛んだり、大人がコップを噛んで運んだりすると、容易に凹んで歯形がついてしまうため、美観を損ねたり、寿命が短くなるという欠点がある。さらに柔らかい、木目の美しい、経済的に安価に普及できる木材の薄板を使用して、木材の容器の特性を呈しながら、木製飲用コップホルダーを提供することを課題とする。
【課題を解決するための手段】
【００１３】０．２〜０．５ｍｍ厚さの木材スライス単薄板の柾目部を木目方向に対して５〜３０°の角度でコップ形型枠に１〜３回斜巻して、上部の管径６０〜８０ｍｍ、下部の管径５０〜７０ｍｍ、高さ５０〜８０ｍｍの木製逆円錐台形の筒状になっているコップ用木製ホルダーである。【００１４】木材スライス単薄板は、柾目部分の木質の特性を持つ木製平板において、比重０．４以上である木材における木目幅０．５〜３０ｍｍの範囲にある木目模様を持ち、前記単薄板の面の粗さ±０．０１ｍｍ以内の平板の鮮明な杢目を呈するに松材、モミ材、ヒノキ材、スギ材で、前記材の厚さ０．３〜０．５ｍｍに調整された平滑的薄平板を、木目方向５〜３０°角度で、前記平板の端部に接着剤を塗布して、逆円錐筒体の形状に型枠に沿って１〜３回に巻いて得られた木製逆円錐筒状体形状になって，紙のコップの容積を９０〜３５５ｍｌの容器に適応できており、前記逆円錐筒体の外部表面に被覆処理を施している。【００１５】前記逆円錐筒体は、幅５０〜１００ｍｍ、長さ３００〜５００ｍｍの単平板を木目傾斜方向で巻く、前記単平板の端部である接合面に食品安全性の多糖質系、又はウレタン系エマルジョンの接着剤を使用した前記平板片面の接合面の端に塗布して、逆円錐筒体の形状の型枠に捲着した逆円錐筒状体を得て、前記逆円錐筒状体の周囲を加熱処理した薄板捲着した逆円錐筒状形体を前記型枠から引き抜いて得られ、前記型枠は、木製、又は樹脂製であって、逆円錐台形体である。【００１６】薄板を巻いて、逆円錐筒状形状になった状態で、外表面での薄板の継ぎ目は一重目と二重目の木目で傾斜の勾配が高くなっており、切り目の境線上では容器縦方向に垂直状態で３０〜１００％の位置で裁断されて、外表面の木目模様で１０〜６０°の角度を呈した特有杢目模様を呈した状態にしている。
【考案の効果】
【００１７】木材の特性を活かして、使い捨て、或いは木材の木目模様でオンリーワンの特性を活用すること、内容物の、保温、保持を効果的にできるコップ型木製薄板ホルダーになって、木製ホルダーの外、内表面である木製飲用コップでありながら、人の唇が当たる部分はなく、木材による凹凸感や木感などによるベタツキのない表面にでき、手の感触を良くしたり、凹凸の溝に汚れがたまりにくく衛生的になる。外表面杢目は美観を損ねることがなく、従来の製品とから特異性をもっている。【００１８】  柔らかい種類の木を使えるので、使用できる木目の美しい木の種類が増えたり、経済的に安価な木を使うことができる。塗装の木を内表面に使用でき、コップの外表面での杢目でのデザインの種類を大幅に増やすことができる。
熱いコーヒーなどを飲む場合、口に当てた時の感触が、違和感は感じない。また、同時に美しい木の外観も楽しむことができる。保温や保持効果は、実用上良好になる。
【図面の簡単な説明】
【００１９】
【図１】コップ用木製ホルダーの斜視図。Ａ：広口型  Ｂ：狭口型
【図２】コップ用木製ホルダーの製作における薄板巻き状態の拡大図。Ａ：型枠に巻く前  Ｂ：筒状製品状態
【図３】コップ用木製ホルダーの使用状態を示した斜視図  Ａ：上部開き型  Ｂ：筒抜け型
【考案を実施するための形態】
【００２０】以下に、この発明の一実施形態を、図面に基づいて説明する。
プラスチック製製品に代わるものとして、自然に優しい木材の材料を目指して、製作上、或いは価格的に検討を加えて、自然に優しい木材を使用した有効なコップ用ホルダーについて示す。
【実施例１】
【００２１】図１Ａに示すように、０．３ｍｍ厚さの木材スライス単薄板の柾目部を木目方向に対して１０°の角度でコップ形型枠に２回斜巻して、上部の管径８０ｍｍ、下部の管径７０ｍｍ、高さ７５ｍｍの木製逆円錐台形の筒状になっているコップ用木製ホルダーであった。【００２２】木材スライス単薄板は、図２日章工業示すように、柾目部分の木質の特性を持つ木製平板において、比重０．４以上である木材における木目幅０．５〜３０ｍｍの範囲にある杉木目模様を持ち、前記単薄板の面の粗さ±０．１ｍｍ以内の平板の鮮明な杢目を呈するにスギ材で、前記材の厚さ０．３ｍｍに調整された平滑的薄平板を、木目方向１０°角度で、前記平板の端部に接着剤を塗布して、逆円錐筒体の形状に型枠に沿って２回に巻いて得られた木製逆円錐筒状体形状になって，紙のコップの容積を１５０ｍｌの容器に適応できており、前記逆円錐筒体の外部表面に被覆処理を施した。【００２３】前記逆円錐筒体は、幅８０ｍｍ、長さ４００ｍｍの単平板を木目傾斜方向で巻く、前記単平板の端部である接合面に食品安全性のウレタン系エマルジョンの接着剤を使用した前記平板片面の接合面の端に塗布して、逆円錐筒体の形状の型枠に捲着した逆円錐筒状体を得て、前記逆円錐筒状体の周囲を加熱処理した薄板捲着した逆円錐筒状形体を前記型枠から引き抜いて得られ、前記型枠は、木製であって、逆円錐台形体であった。【００２４】薄板を巻いて、逆円錐筒状形状になった状態で、外表面での薄板の継ぎ目は二重目の木目で傾斜の勾配が高くなっており、切り目の境線上では容器縦方向に垂直状態で１００％の位置で裁断されて、外表面の木目模様で１０〜６０°の角度を呈した特有杢目模様を呈した状態にした。図３Ａに示すようにこのホルダーを使用して紙コップ入り９０℃のコーヒーに使用した。紙コップの外部の温度は６０℃付近であったが、この木製ホルダーの外部温度は３５℃程度であって、コーヒーの保温の保持と、温度的取り扱いが容易であった。
【実施例２】
【００２５】図１Ｂに示すように、０．４ｍｍ厚さの杉木材スライス単薄板の柾目部を木目方向に対して１０°の角度でコップ形型枠に２回斜巻して、上部の管径７０ｍｍ、下部の管径６０ｍｍ、高さ７０ｍｍの木製逆円錐台形の筒状になっているコップ用木製ホルダーであった。【００２６】木材スライス単薄板は、柾目部分の木質の特性を持つ木製平板において、比重０．４以上である木材における木目幅０．５〜３０ｍｍの範囲にある木目模様を持ち、前記単薄板の面の粗さ±０．０１ｍｍ以内の平板の鮮明な杢目を呈するに松材、モミ材、ヒノキ材、スギ材で、前記材の厚さ０．４ｍｍに調整された平滑的薄平板を、木目方向１０°角度で、前記平板の端部に接着剤を塗布して、逆円錐筒体の形状に型枠に沿って２回に巻いて得られた木製逆円錐筒状体形状になって，紙のコップの容積を１５０ｍｌの容器に適応できており、前記逆円錐筒体の外部表面にウレタン系塗料の被覆処理を施した。【００２７】前記逆円錐筒体は、幅６０ｍｍ、長さ４００ｍｍの単平板を木目傾斜方向で巻く、前記単平板の端部である接合面に食品安全性のウレタン系エマルジョンの接着剤を使用した前記平板片面の接合面の端に塗布して、逆円錐筒体の形状の型枠に捲着した逆円錐筒状体を得て、前記逆円錐筒状体の周囲を加熱処理した薄板捲着した逆円錐筒状形体を前記型枠から引き抜いて得られ、前記型枠は、木製であって、逆円錐台形体であった。【００２８】薄板を巻いて、逆円錐筒状形状になった状態で、外表面での薄板の継ぎ目は二重目の木目で傾斜の勾配が高くなっており、切り目の境線上では容器縦方向に垂直状態で６０％の位置で裁断されて、外表面の木目模様で１０°の角度を呈した特有杢目模様を呈した状態にした。図３Ｂに示すようにこのホルダーを使用して紙コップ入り８０℃のお茶に使用した。紙コップの外部の温度は５０℃付近であったが、この木製ホルダーの外部温度は３０℃程度であって、お茶の保温の保持と、温度的取り扱いが容易であった。
【実施例３】
【００２９】図１Ａに示すように０．５ｍｍ厚さの杉木材スライス単薄板の柾目部を木目方向に対して１５°の角度でコップ形型枠に２回斜巻して、上部の管径８０ｍｍ、下部の管径６０ｍｍ、高さ８０ｍｍの木製逆円錐台形の筒状になっているコップ用木製ホルダーであった。【００３０】木材スライス単薄板は、柾目部分の木質の特性を持つ木製平板において、比重０．４以上である木材における木目幅０．５〜２０ｍｍの範囲にある木目模様を持ち、前記単薄板の面の粗さ±０．１ｍｍ以内の平板の鮮明な杢目を呈するにスギ材で、前記材の厚さ０．５ｍｍに調整された平滑的薄平板を、木目方向１５°角度で、前記平板の端部に接着剤を塗布して、逆円錐筒体の形状に型枠に沿って２回に巻いて得られた木製逆円錐筒状体形状になって，紙のコップの容積を１９０ｍｌの容器に適応できており、前記逆円錐筒体の外部表面に被覆処理を施した。【００３１】前記逆円錐筒体は、幅７０ｍｍ、長さ４５０ｍｍの単平板を木目傾斜方向で巻く、前記単平板の端部である接合面に食品安全性のウレタン系エマルジョンの接着剤を使用した前記平板片面の接合面の端に塗布して、逆円錐筒体の形状の型枠に捲着した逆円錐筒状体を得て、前記逆円錐筒状体の周囲を加熱処理した薄板捲着した逆円錐筒状形体を前記型枠から引き抜いて得られ、前記型枠は、木製であって、逆円錐台形体であった。【００３２】薄板を巻いて、逆円錐筒状形状になった状態で、外表面での薄板の継ぎ目は一重目と二重目の木目で傾斜の勾配が高くなっており、切り目の境線上では容器縦方向に垂直状態で８０％の位置で裁断されて、外表面の木目模様で１０〜６０°の角度を呈した特有杢目模様を呈した状態にした。図４に示すようにこのホルダーを使用して紙コップ入り９５℃のコーヒーに使用した。紙コップの外部の温度は６５℃付近であったが、この木製ホルダーの外部温度は３８℃程度であって、コーヒーの保温の保持と、温度的取り扱いが容易であった。
【符号の説明】
【００３３】１  コップ用ホルダー、
２  スライス単薄板、
３  型枠、
４  逆円錐筒体
５  木目、
６  表面木目斜傾
７  巻き目
８  接着剤、
９  切り目
１０  筒体
１２  紙コップ
【図１】
0003221133.tif 000003
【図２】
0003221133.tif 000004
【図３】
0003221133.tif 000005